【手続補正書】
【提出日】平成16年11月19日(2004.11.19)
【手続補正１】
【補正対象書類名】明細書
【補正対象項目名】特許請求の範囲
【補正方法】変更
【補正の内容】
【特許請求の範囲】
【請求項１】
波長の異なるレーザ光をそれぞれ出射する複数のレーザダイオードと、受光素子とを備え、前記レーザダイオードからのレーザ光を、回折型光学手段を介して光記録媒体の信号記録面に照射し、前記信号記録面からの反射光を、前記回折型光学手段を介して前記受光素子で受光することにより、前記光記録媒体に対する記録・再生動作を行う光ピックアップ装置において、
前記回折型光学手段には、前記複数のレーザダイオードからのレーザ光の内で、対応する波長のレーザ光を、それぞれ反射して前記受光素子に入射することにより、該レーザ光のモニタを行う複数の反射型回折素子が設けられ、これらの反射型回折素子は、抑制設定手段によって、対応する波長のレーザ光以外のレーザ光に対しては反射抑制状態に設定されていることを特徴とする光ピックアップ装置。
【請求項２】
請求項１記載の光ピックアップ装置において、前記複数の反射型回折素子は、前記抑制設定手段によって、それぞれ対応する波長のレーザ光のみを回折する位置に配設されていることを特徴とする光ピックアップ装置。
【請求項３】
請求項１記載の光ピックアップ装置において、前記複数の反射型回折素子は、前記抑制設定手段によって、それぞれ対応する波長のレーザ光の回折効率のみが高められていることを特徴とする光ピックアップ装置。
【請求項４】
請求項１記載の光ピックアップ装置において、前記複数の反射型回折素子は、前記抑制設定手段によって、それぞれ対応する波長のレーザ光のみが回折するように、コーティングが施されていることを特徴とする光ピックアップ装置。
【請求項５】
請求項１記載の光ピックアップ装置において、前記回折型光学手段の前記記録媒体側の面に、前記複数の反射型回折素子が設けられ、前記回折型光学手段の前記複数のレーザダイオード側の面に、前記反射型回折素子にそれぞれ対応する波長のレーザ光のみを透過させるコーティングが施されていることを特徴とする光ピックアップ装置。
【請求項６】
波長の異なるレーザ光をそれぞれ出射する複数のレーザダイオードと、受光素子とを備え、前記レーザダイオードからのレーザ光を、回折型光学手段を介して光記録媒体の信号記録面に照射し、前記信号記録面からの反射光を、前記回折型光学手段を介して前記受光素子で受光することにより、前記光記録媒体に対する記録・再生動作を行う光ピックアップ装置において、
前記回折型光学手段には、前記複数のレーザ光の波長に共通な中間波長のレーザ光を反射して、前記受光素子の中心位置に入射することにより、該レーザ光のモニタを行う反射型回折素子が設けられていることを特徴とする光ピックアップ装置。
【請求項７】
波長の異なるレーザ光をそれぞれ出射する複数のレーザダイオードと、受光素子とを備え、前記レーザダイオードからのレーザ光を、回折型光学手段を介して光記録媒体の信号記録面に照射し、前記信号記録面からの反射光を、前記回折型光学手段を介して前記受光素子で受光することにより、前記光記録媒体に対する記録・再生動作を行う光ピックアップ装置において、
前記回折型光学手段は、入射光の偏光方向に依存する回折効率を有し、光記録媒体側の面に複数の波長にそれぞれ対応する反射型回折素子を備え、前記反射型回折素子での反射光が、対応する波長に対して高い回折効率を有する偏光回折素子であることを特徴とする光ピックアップ装置。
【請求項８】
請求項７記載の光ピックアップ装置に抑制設定手段が設けられ、前記反射型回折素子は、前記抑制設定手段によって、対応する波長のレーザ光以外のレーザ光に対して反射抑制状態に設定されていることを特徴とする光ピックアップ装置。
【請求項９】
請求項７または請求項８記載の光ピックアップ装置において、前記偏光回折素子が有機系高分子膜で形成されていることを特徴とする光ピックアップ装置。
【手続補正２】
【補正対象書類名】明細書
【補正対象項目名】０００７
【補正方法】変更
【補正の内容】
【０００７】
【課題を解決するための手段】
前記目的を達成するために、請求項１記載の発明は、波長の異なるレーザ光をそれぞれ出射する複数のレーザダイオードと、受光素子とを備え、前記レーザダイオードからのレーザ光を、回折型光学手段を介して光記録媒体の信号記録面に照射し、前記信号記録面からの反射光を、前記回折型光学手段を介して前記受光素子で受光することにより、前記光記録媒体に対する記録・再生動作を行う光ピックアップ装置において、前記回折型光学手段には、前記複数のレーザダイオードからのレーザ光の内で、対応する波長のレーザ光を、それぞれ反射して前記受光素子に入射することにより、該レーザ光のモニタを行う複数の反射型回折素子が設けられ、これらの反射型回折素子は、抑制設定手段によって、対応する波長のレーザ光以外のレーザ光に対しては反射抑制状態に設定されていることを特徴とするものである。
【手続補正３】
【補正対象書類名】明細書
【補正対象項目名】０００８
【補正方法】変更
【補正の内容】
【０００８】
このような手段によると、レーザダイオードからのレーザ光が、回折型光学手段を介して光記録媒体の信号記録面に照射され、信号記録面からの反射光が、回折型光学手段を介して受光素子で受光され、光記録媒体に対する記録・再生動作が行われるが、回折型光学手段には、複数のレーザダイオードからのレーザ光の内で、対応する波長のレーザ光を、それぞれ反射して受光素子に入射することにより、該レーザ光のモニタを行う複数の反射型回折素子が設けられており、これらの反射型回折素子は、抑制設定手段によって、対応する波長のレーザ光以外のレーザ光に対しては反射抑制状態に設定されており、受光素子で複数の波長のレーザ光のモニタが行われ、反射型回折素子は対応する波長以外のレーザ光には、反射抑制状態に設定され、フレア光の発生を抑えてレーザ光の信号レベルの安定で高精度のモニタが行われる。
【手続補正４】
【補正対象書類名】明細書
【補正対象項目名】００１７
【補正方法】変更
【補正の内容】
【００１７】
同様に前記目的を達成するために、請求項６記載の発明は、波長の異なるレーザ光をそれぞれ出射する複数のレーザダイオードと、受光素子とを備え、前記レーザダイオードからのレーザ光を、回折型光学手段を介して光記録媒体の信号記録面に照射し、前記信号記録面からの反射光を、前記回折型光学手段を介して前記受光素子で受光することにより、前記光記録媒体に対する記録・再生動作を行う光ピックアップ装置において、前記回折型光学手段には、前記複数のレーザ光の波長に共通な中間波長のレーザ光を反射して、前記受光素子の中心位置に入射することにより、該レーザ光のモニタを行う反射型回折素子が設けられていることを特徴とするものである。
【手続補正５】
【補正対象書類名】明細書
【補正対象項目名】００１８
【補正方法】変更
【補正の内容】
【００１８】
このような手段によると、波長の異なるレーザ光をそれぞれ出射する複数のレーザダイオードからのレーザ光が、回折型光学手段を介して光記録媒体の信号記録面に照射され、信号記録面からの反射光が、回折型光学手段を介して受光素子で受光され、光記録媒体に対する記録・再生動作が行われるが、回折型光学手段には、複数のレーザ光の波長に共通な中間波長のレーザ光を反射して、受光素子の中心位置に入射することにより、該レーザ光のモニタを行う反射型回折素子が設けられており、反射型回折素子の数を一個にして装置の製造が簡易化、低コスト化される。
【手続補正６】
【補正対象書類名】明細書
【補正対象項目名】００１９
【補正方法】変更
【補正の内容】
【００１９】
同様に前記目的を達成するために、請求項７記載の発明は、波長の異なるレーザ光をそれぞれ出射する複数のレーザダイオードと、受光素子とを備え、前記レーザダイオードからのレーザ光を、回折型光学手段を介して光記録媒体の信号記録面に照射し、前記信号記録面からの反射光を、前記回折型光学手段を介して前記受光素子で受光することにより、前記光記録媒体に対する記録・再生動作を行う光ピックアップ装置において、前記回折型光学手段は、入射光の偏光方向に依存する回折効率を有し、光記録媒体側の面に複数の波長にそれぞれ対応する反射型回折素子を備え、前記反射型回折素子での反射光が、対応する波長に対して高い回折効率を有する偏光回折素子であることを特徴とするものである。
【手続補正７】
【補正対象書類名】明細書
【補正対象項目名】００６０
【補正方法】変更
【補正の内容】
【００６０】
【発明の効果】
第１の発明に係る光ピックアップ装置には、波長の異なるレーザ光をそれぞれ出射する複数のレーザダイオードと、受光素子とが設けられ、レーザダイオードからのレーザ光が、回折型光学手段を介して光記録媒体の信号記録面に照射され、信号記録面からの反射光が、回折型光学手段を介して受光素子で受光され、光記録媒体に対する記録・再生動作が行われるが、回折型光学手段には、複数のレーザダイオードからのレーザ光の内で、対応する波長のレーザ光を、それぞれ反射して受光素子に入射することにより、該レーザ光のモニタを行う複数の反射型回折素子が設けられており、これらの反射型回折素子は、抑制設定手段によって、対応する波長のレーザ光以外のレーザ光に対しては反射抑制状態に設定されているので、一つの受光素子で複数の波長のレーザ光のモニタを行うことにより、部品点数の削減による小型化と、受光素子の調整の簡易化とが可能になり、反射型回折素子はモニタの対象となる対応する波長以外のレーザ光には、反射抑制状態に設定され、フレア光の発生を抑えて安定した高精度のレーザ光のモニタを行うことが可能になる。
【手続補正８】
【補正対象書類名】明細書
【補正対象項目名】００６２
【補正方法】変更
【補正の内容】
【００６２】
第２の発明に係る光ピックアップ装置には、波長の異なるレーザ光をそれぞれ出射する複数のレーザダイオードと、受光素子とが設けられ、レーザダイオードからのレーザ光が、回折型光学手段を介して光記録媒体の信号記録面に照射され、信号記録面からの反射光が、回折型光学手段を介して受光素子で受光され、光記録媒体に対する記録・再生動作が行われるが、回折型光学手段には、複数のレーザ光の波長に共通な中間波長のレーザ光を反射して、受光素子の中心位置に入射することにより、該レーザ光のモニタを行う反射型回折素子が設けられているので、一つの反射型回折素子により装置の製造を簡易化、低コスト化することが可能になる。
【手続補正９】
【補正対象書類名】明細書
【補正対象項目名】００６３
【補正方法】変更
【補正の内容】
【００６３】
第３の発明に係る光ピックアップ装置には、波長の異なるレーザ光をそれぞれ出射する複数のレーザダイオードと、受光素子とが設けられ、レーザダイオードからのレーザ光が、回折型光学手段を介して光記録媒体の信号記録面に照射され、信号記録面からの反射光が、回折型光学手段を介して受光素子で受光され、光記録媒体に対する記録・再生動作が行われる。この場合、回折型光学手段は、入射光の偏光方向に依存する回折効率を有し、光記録媒体側の面に複数の波長にそれぞれ対応する反射型回折素子を備え、反射型回折素子での反射光が、対応する波長に対して高い回折効率で回折されモニタ検出が行われるので、従来必要とされた偏光ホログラムとモニタ検出ホログラムの２種類のホログラムを、１種類のホログラムで構成でき、製造工程が簡易化され製造コストの低減が可能になる。